(57)【要約】  本開示の一態様に係る端末は、少なくとも１つの下りセミパーシステント構成を示す第１情報と、少なくとも１つの設定グラント構成を示す第２情報とを、上位レイヤシグナリングを介して受信する受信部と、前記少なくとも１つのセミパーシステント構成に基づく少なくとも１つの下り共有チャネルに対するHybrid  Automatic  Repeat  reQuest  ACKnowledgement（ＨＡＲＱ−ＡＣＫ）を、前記少なくとも１つの設定グラント構成に基づく少なくとも１つの設定グラント上り共有チャネルにおいて送信する制御部と、を有する。本開示の一態様によれば、下りセミパーシステント構成及び設定グラント構成の両方を設定された場合に適切に動作することができる。
2020175385.tif 000002
【特許請求の範囲】
【請求項１】
少なくとも１つの下りセミパーシステント構成を示す第１情報と、少なくとも１つの設定グラント構成を示す第２情報とを、上位レイヤシグナリングを介して受信する受信部と、
前記少なくとも１つのセミパーシステント構成に基づく少なくとも１つの下り共有チャネルに対するHybrid  Automatic  Repeat  reQuest  ACKnowledgement（ＨＡＲＱ−ＡＣＫ）を、前記少なくとも１つの設定グラント構成に基づく少なくとも１つの設定グラント上り共有チャネルにおいて送信する制御部と、を有する端末。
【請求項２】
設定された少なくとも１つのサービングセルにわたって上り共有チャネルがない場合、前記制御部は、前記ＨＡＲＱ−ＡＣＫを上り制御チャネルにおいて送信する、請求項１に記載の端末。
【請求項３】
動的グラントによってスケジュールされた動的グラント上り共有チャネルがある場合、前記制御部は、前記ＨＡＲＱ−ＡＣＫを前記動的グラント上り共有チャネルにおいて送信する、請求項１に記載の端末。
【請求項４】
動的グラントによってスケジュールされた動的グラント上り共有チャネルがなく、且つ前記少なくとも１つの設定グラント上り共有チャネルがある場合、前記制御部は、前記ＨＡＲＱ−ＡＣＫを前記少なくとも１つの設定グラント上り共有チャネルにおいて送信する、請求項１に記載の端末。
【請求項５】
動的グラントによってスケジュールされた動的グラント上り共有チャネルがなく、且つ複数の設定グラント上り共有チャネルがある場合、前記制御部は、前記複数の設定グラント上り共有チャネルのそれぞれに対応する設定グラント構成のインデックスと、前記複数の設定グラント上り共有チャネルのそれぞれのサービングセルインデックスと、前記複数の設定グラント上り共有チャネルのそれぞれの開始タイミングと、前記複数の設定グラント上り共有チャネルのそれぞれの時間長と、の少なくとも１つに基づく、１つの設定グラント上り共有チャネルにおいて、前記ＨＡＲＱ−ＡＣＫを送信する、請求項４に記載の端末。
【請求項６】
少なくとも１つの下りセミパーシステント構成を示す第１情報と、少なくとも１つの設定グラント構成を示す第２情報とを、上位レイヤシグナリングを介して受信するステップと、
前記少なくとも１つのセミパーシステント構成に基づく少なくとも１つの下り共有チャネルに対するHybrid  Automatic  Repeat  reQuest  ACKnowledgement（ＨＡＲＱ−ＡＣＫ）を、前記少なくとも１つの設定グラント構成に基づく少なくとも１つの設定グラント上り共有チャネルにおいて送信するステップと、を有する端末の無線通信方法。
【発明の詳細な説明】
【技術分野】
【０００１】
本開示は、次世代移動通信システムにおける端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、３ＧＰＰ  Ｒｅｌ．８−１４）では、ユーザ端末（User  Equipment（ＵＥ））は、下り制御情報（Downlink  Control  Information（ＤＣＩ））に基づいて、上り共有チャネル（例えば、Physical  Uplink  Shared  Channel（ＰＵＳＣＨ））の送信及び下り共有チャネル（例えば、Physical  Downlink  Control  Channel（ＰＤＳＣＨ））の受信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、上りリンク（ＵＬ）において、動的グラント（dynamic  grant）に基づくＰＵＳＣＨと、設定グラント（configured  grant）に基づくＰＵＳＣＨ（設定グラントＰＵＳＣＨ）と、が検討されている。また、下りリンク（ＤＬ）において、ＰＵＣＣＨ（ＤＣＩ、ＤＬアサインメント）に基づくＰＤＳＣＨと、セミパーシステントスケジューリング（ＳＰＳ：Semi-Persistent  Scheduling）に基づくＰＤＳＣＨ（ＤＬ  ＳＰＳ  ＰＤＳＣＨ）と、が検討されている。【０００７】
しかしながら、ＵＥが、下りセミパーシステント構成及び設定グラント構成の両方を設定された場合の動作が明らかでない。ＵＥが下りセミパーシステント構成及び設定グラント構成の両方を適切に処理しなければ、オーバヘッドの増加など、システム性能が劣化するおそれがある。【０００８】
そこで、本開示は、下りセミパーシステント構成及び設定グラント構成の両方を設定された場合に適切に動作する端末及び無線通信方法を提供することを目的の１つとする。
【課題を解決するための手段】
【０００９】
本開示の一態様に係る端末は、少なくとも１つの下りセミパーシステント構成を示す第１情報と、少なくとも１つの設定グラント構成を示す第２情報とを、上位レイヤシグナリングを介して受信する受信部と、前記少なくとも１つのセミパーシステント構成に基づく少なくとも１つの下り共有チャネルに対するHybrid  Automatic  Repeat  reQuest  ACKnowledgement（ＨＡＲＱ−ＡＣＫ）を、前記少なくとも１つの設定グラント構成に基づく少なくとも１つの設定グラント上り共有チャネルにおいて送信する制御部と、を有する。
【発明の効果】
【００１０】
本開示の一態様によれば、下りセミパーシステント構成及び設定グラント構成の両方を設定された場合に適切に動作することができる。
【図面の簡単な説明】
【００１１】
【図１】図１は、ユースケース１に係る設定グラント構成の一例を示す図である。
【図２】図２は、ユースケース２に係る設定グラント構成の一例を示す図である。
【図３】図３は、一実施形態に係る無線通信システムの概略構成の一例を示す図である。
【図４】図４は、一実施形態に係る基地局の構成の一例を示す図である。
【図５】図５は、一実施形態に係るユーザ端末の構成の一例を示す図である。
【図６】図６は、一実施形態に係る基地局及びユーザ端末のハードウェア構成の一例を示す図である。
【発明を実施するための形態】
【００１２】
＜動的グラントベース送信及び設定グラントベース送信（タイプ１、タイプ２）＞
ＮＲのＵＬ送信について、動的グラントベース送信（dynamic  grant-based  transmission）及び設定グラントベース送信（configured  grant-based  transmission）が検討されている。
【００１３】
動的グラントベース送信は、動的なＵＬグラント（dynamic  grant、dynamic  UL  grant）に基づいて、上り共有チャネル（例えば、ＰＵＳＣＨ（Physical  Uplink  Shared  Channel））を用いてＵＬ送信を行う方法である。
【００１４】
設定グラントベース送信は、上位レイヤによって設定されたＵＬグラント（例えば、設定グラント（configured  grant）、configured  UL  grantなどと呼ばれてもよい）に基づいて、上り共有チャネル（例えば、ＰＵＳＣＨ）を用いてＵＬ送信を行う方法である。設定グラントベース送信は、ＵＥに対して既にＵＬリソースが割り当てられており、ＵＥは設定されたリソースを用いて自発的にＵＬ送信できるため、低遅延通信の実現が期待できる。
【００１５】
動的グラントベース送信は、動的グラントベースＰＵＳＣＨ（dynamic  grant-based  ＰＵＳＣＨ）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信などと呼ばれてもよい。
【００１６】
設定グラントベース送信は、設定グラントベースＰＵＳＣＨ（configured  grant-based  ＰＵＳＣＨ）、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信などと呼ばれてもよい。
【００１７】
また、設定グラントベース送信は、ＵＬ  セミパーシステントスケジューリング（ＳＰＳ：Semi-Persistent  Scheduling）の１種類として定義されてもよい。本開示において、「設定グラント」は、「ＳＰＳ」、「ＳＰＳ／設定グラント」などと互いに読み替えられてもよい。
【００１８】
設定グラントベース送信については、いくつかのタイプ（タイプ１、タイプ２など）が検討されている。
【００１９】
設定グラントタイプ１送信（configured  grant  type  1  transmission、タイプ１設定グラント）において、設定グラントベース送信に用いるパラメータ（設定グラントベース送信パラメータ、設定グラントパラメータ、設定グラント構成（Configured  Grant（ＣＧ）configuration）、構成情報などと呼ばれてもよい）は、上位レイヤシグナリングのみを用いてＵＥに設定される。
【００２０】
設定グラントタイプ２送信（configured  grant  type  2  transmission、タイプ２設定グラント）において、設定グラントパラメータは、上位レイヤパラメータ（例えば、無線リソース制御（Radio  Resource  Control（ＲＲＣ）のパラメータ））によってＵＥに設定される。設定グラントタイプ２送信において、設定グラントパラメータの少なくとも一部は、物理レイヤシグナリング（例えば、後述のアクティベーション用下り制御情報（ＤＣＩ：Downlink  Control  Information））によってＵＥに通知されてもよい。
【００２１】
設定グラントパラメータは、上位レイヤパラメータ（例えば、ＲＲＣの情報要素（Information  Element（ＩＥ））「ConfiguredGrantConfig」）及びＤＣＩの少なくとも一つを用いてＵＥに設定されてもよい。設定グラントパラメータは、例えば設定グラントリソースを特定する情報を含んでもよい。設定グラントパラメータは、例えば、設定グラントのインデックス（又は識別子（ＩＤ））、時間オフセット、周期（periodicity）、トランスポートブロック（ＴＢ：Transport  Block）の繰り返し送信回数（アグリゲーションファクター、繰り返し数、アグリゲーション数等ともいう）、繰り返し送信で使用する冗長バージョン（ＲＶ：Redundancy  Version）系列、上述のタイマなどに関する情報を含んでもよい。
【００２２】
ここで、周期及び時間オフセットは、それぞれ、シンボル、スロット、サブフレーム、フレームなどの単位で表されてもよい。周期は、例えば、所定数のシンボルで示されてもよい。時間オフセットは、例えば所定のインデックス（スロット番号＝０及び／又はシステムフレーム番号＝０など）のタイミングに対するオフセットで示されてもよい。繰り返し送信回数は、任意の整数であってもよく、例えば、１、２、４、８などであってもよい。繰り返し送信回数がｎ（＞０）の場合、ＵＥは、所定のＴＢを、ｎ回の送信機会を用いて設定グラントベースＰＵＳＣＨ送信してもよい。
【００２３】
ＵＥは、設定グラントタイプ１送信を設定された場合、１つ又は複数の設定グラントがトリガされたと判断してもよい。ＵＥは、設定された設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信が設定されている場合であっても、送信バッファにデータがない場合は、ＵＥは設定グラントベース送信をスキップしてもよい。
【００２４】
ＵＥは、設定グラントタイプ２送信を設定され、かつ所定のアクティベーション信号が通知された場合、１つ又は複数の設定グラントがトリガ（又はアクティベート）されたと判断してもよい。当該所定のアクティベーション信号（例えば、アクティべーション用ＤＣＩ）は、所定の識別子（例えば、ＣＳ−ＲＮＴＩ：Configured  Scheduling  RNTI）でＣＲＣ（Cyclic  Redundancy  Check）スクランブルされるＤＣＩ（ＰＤＣＣＨ）であってもよい。なお、当該ＤＣＩは、設定グラントのディアクティベーション、再送などの制御に用いられてもよい。
【００２５】
ＵＥは、上位レイヤで設定された設定グラントリソースを用いてＰＵＳＣＨ送信を行うか否かを、上記所定のアクティベーション信号に基づいて判断してもよい。ＵＥは、設定グラントをディアクティベートするＤＣＩ又は所定のタイマの満了（所定時間の経過）に基づいて、当該設定グラントに対応するリソース（ＰＵＳＣＨ）を解放（リリース（release）、ディアクティベート（deactivate）などと呼ばれてもよい）してもよい。
【００２６】
ＵＥは、アクティベートされた設定グラントベース送信用のリソース（設定グラントリソース、送信機会（transmission  occasion）などと呼ばれてもよい）を用いて、動的グラント無しでＰＵＳＣＨ送信を行ってもよい。なお、設定グラントベース送信がアクティベート（アクティブ状態である）場合であっても、送信バッファにデータがない場合は、ＵＥは設定グラントベース送信をスキップしてもよい。
【００２７】
なお、動的グラント及び設定グラントのそれぞれは、実際のＵＬグラント（actual  UL  grant）と呼ばれてもよい。つまり、実際のＵＬグラントは、上位レイヤシグナリング（例えば、ＲＲＣ  ＩＥの「ConfiguredGrantConfig」）、物理レイヤシグナリング（例えば、上記所定のアクティベーション信号）又はこれらの組み合わせであってもよい。
【００２８】
ＮＲでは、設定グラントによるＰＵＳＣＨ送信を繰り返して行うことが検討されている。具体的には、ＮＲでは、一以上の送信機会で同一のデータに基づくトランスポートブロック（Transport  Block（ＴＢ））を送信することが検討されている。
【００２９】
当該繰り返し送信は、スロットアグリゲーション（slot-aggregation）送信、マルチスロット送信、ＴＢ繰り返し等と呼ばれてもよい。当該繰り返し回数（アグリゲーション数、アグリゲーションファクター、繰り返しファクター等ともいう）Ｋは、上位レイヤパラメータ（例えば、ＲＲＣ  ＩＥの「repK」）及びＤＣＩの少なくとも一つによってＵＥに指定されてもよい。当該繰り返し回数Ｋは、例えば、１、２、４又は８であってもよい。なお、繰り返し回数＝１は、繰り返さずに１回送信されることであってもよい。
【００３０】
Ｋ回の繰り返し（Ｋ個の送信機会、Ｋ個の連続するスロット等ともいう）間では、同一のシンボル割り当てが適用されてもよい。一方、Ｋ回の繰り返し間では、同一データに基づくＴＢに適用される冗長バージョン（Redundancy  version（ＲＶ））は、同一であってもよいし、又は、少なくとも一部が異なってもよい。
【００３１】
例えば、ｎ（ｎ＝１，２，…，Ｋ）番目の送信機会において上記ＴＢに適用されるＲＶは、上位レイヤパラメータ（例えば、ＲＲＣ  ＩＥの「repK-RV」）によって設定されるＲＶ系列（RV  sequence）に基づいて決定されてもよい。当該ＲＶ系列は、例えば、｛０，２，３，１｝、｛０，３，０，３｝、又は、｛０，０，０，０｝であればよい。
【００３２】
ＵＥは、ｎ番目の送信機会のＴＢに適用するＲＶ値を、設定されたＲＶ系列の中から所定のルールに従って決定してもよい。例えば、ＵＥは、ｎ番目の送信機会のＴＢに適用するＲＶ値を、当該ＲＶ系列内の(mod(n-1,4)+1)番目の値に決定してもよい。
【００３３】
ＴＢの初回送信が開始される送信機会は、例えば、以下のルールに従って定められてもよい。
・設定されたＲＶ系列が｛０，２，３，１｝であれば、Ｋ回の繰り返しの最初の送信機会
・設定されたＲＶ系列が｛０，３，０，３｝であれば、Ｋ回の繰り返しの中でＲＶ＝０となるいずれの（any）送信機会
・設定されたＲＶ系列が｛０，０，０，０｝であれば、Ｋ＝８の場合の最後の送信機会を除いたいずれの（any）送信機会
【００３４】
＜ＤＬ  ＳＰＳ＞
ＵＥは、例えば上位レイヤシグナリング（例えば、ＳＰＳ設定情報、SPS-Config）によって下りリンク（ＤＬ）Semi-Persistent  Scheduling（ＳＰＳ）のための周期的なリソースを設定され、ＰＤＣＣＨを用いて通知される下り制御情報（ＤＣＩ）によって、当該リソースを用いた送信及び受信の少なくとも一方をアクティベート又はリリース（ディアクティベート）されてもよい。
【００３５】
ＤＬ  ＳＰＳのアクティベーション又はディアクティベーションのためのＰＤＣＣＨ（ＤＣＩ）は、ＳＰＳ用のＲＮＴＩによってスクランブルされたＣＲＣ（Cyclic  Redundancy  Check）を有してもよい。ＳＰＳ用のＲＮＴＩは、ＣＳ−ＲＮＴＩ（Configured  Scheduling  RNTI）と呼ばれてもよい。
【００３６】
＜ＤＬ  ＳＰＳ  ＰＤＳＣＨに対するＨＡＲＱ−ＡＣＫ＞
ＤＬ  ＳＰＳを設定され且つＵＬ設定グラントを設定されないＵＥは、ＤＬ  ＳＰＳ  ＰＤＳＣＨに対するＨＡＲＱ−ＡＣＫを、ＰＵＣＣＨ、又はＵＬ動的グラントによってスケジュールされるＰＵＳＣＨにおいて送信してもよい。この動作は、Ｒｅｌ．１５において可能である。
【００３７】
ＵＬ設定グラントを設定され且つＤＬ  ＳＰＳを設定されないＵＥは、ＰＵＣＣＨ、又はＵＬ動的グラントによってスケジュールされたＰＵＳＣＨ、ＵＬ設定グラントによってトリガされたＰＵＳＣＨにおいて、ＰＤＳＣＨに対するＨＡＲＱ−ＡＣＫを送信してもよい。この動作はＲｅｌ．１５において可能である。
【００３８】
ＵＬ設定グラントを設定され且つＤＬ  ＳＰＳを設定されたＵＥは、設定された少なくとも１つのサービングセルにわたってＰＵＳＣＨが無い場合、ＰＵＣＣＨにおいてＤＬ  ＳＰＳ  ＰＤＳＣＨに対するＨＡＲＱ−ＡＣＫを送信してもよい。設定された少なくとも１つのサービングセルにＰＵＳＣＨがある場合、当該ＵＥは、所定ルールに従ってＰＵＳＣＨを選択し、当該ＰＵＳＣＨにおいてＤＬ  ＳＰＳ  ＰＤＳＣＨに対するＨＡＲＱ−ＡＣＫを送信してもよい。適切な設定によって、ＨＡＲＱ−ＡＣＫがＵＬ設定グラントＰＵＳＣＨ上にマップされてもよい。ＵＥが設定グラントＰＵＳＣＨを用いて送るべきＵＬデータを有する場合、ＵＥは、設定グラントＰＵＳＣＨにおいてＨＡＲＱ−ＡＣＫを送信してもよい。ＵＥが設定グラントＰＵＳＣＨを用いて送るべきＵＬデータを有しない場合、ＵＥはＰＵＣＣＨにおいてＨＡＲＱ−ＡＣＫを送信してもよい。この動作はＲｅｌ．１５において可能である。
【００３９】
しかしながら、ＵＥが、少なくとも１つのＤＬ  ＳＰＳ構成と、少なくとも１つの設定グラント構成と、のの両方を設定され、複数のＤＬ  ＳＰＳ  ＰＤＳＣＨ構成と、複数の設定グラントＰＵＳＣＨ構成と、の少なくとも１つを設定された場合の動作が明らかでない。ＵＥがＤＬ  ＳＰＳ  ＰＤＳＣＨ及び設定グラントＰＵＳＣＨの両方を適切に処理しなければ、オーバヘッドの増加など、システム性能が劣化するおそれがある。
【００４０】
そこで、本発明者らは、ＤＬ  ＳＰＳ  ＰＤＳＣＨ及び設定グラントＰＵＳＣＨの両方を設定された場合の動作を着想した。また、本発明者らは、ＤＬ  ＳＰＳ  ＰＤＳＣＨ及び設定グラントＰＵＳＣＨの両方を設定されたＵＥが、ＤＬ  ＳＰＳ  ＰＤＳＣＨに対するＨＡＲＱ−ＡＣＫを適切に送信する方法を着想した。
【００４１】
以下、本開示に係る実施形態について、図面を参照して詳細に説明する。以下の各実施形態は、それぞれ単独で適用されてもよいし、組み合わせて適用されてもよい。
【００４２】
なお、「設定グラント」は、「設定グラントの構成（configuration  of  configured  grants）」、「設定グラント構成」、「構成情報」、「設定グラントパラメータ」、「第２情報」、「ＵＬ設定グラント構成」、と互いに読み替えられてもよい。また、設定グラントベース送信、設定グラントＰＵＳＣＨ、ＵＬ設定グラントＰＵＳＣＨ、タイプ１設定グラントＰＵＳＣＨ、タイプ２設定グラントＰＵＳＣＨ、は互いに読み替えられてもよい。また、「トラフィック」は、「データ」「ＵＬデータ」及び「トランスポートブロック」の少なくとも１つと互いに読み替えられてもよい。
【００４３】
また、下りリンクＳＰＳ、ＳＰＳ構成（例えば、ＲＲＣ  ＩＥのSPS-Config）、ＤＬ  ＳＰＳ構成、は互いに読み替えられてもよい。また、ＰＤＳＣＨ、ＤＬ  ＳＰＳ  ＰＤＳＣＨ、ＳＰＳ  ＰＤＳＣＨ、は互いに読み替えられてもよい。
【００４４】
ＵＬ動的グラント、ＵＬグラント、ＰＵＳＣＨをスケジュールするＤＣＩ、は互いに読み替えられてもよい。ＵＬ動的グラントＰＵＳＣＨ、動的グラントベースＰＵＳＣＨ、は互いに読み替えられてもよい。
【００４５】
（無線通信方法）
ＵＥは、与えられたＢＷＰ又はキャリアに対し、少なくとも１つの設定グラント（ＣＧ、ＵＬ設定グラント）構成（configured  grant  configurations）を設定されてもよい。ＵＥは、上位レイヤシグナリング（例えば、ＲＲＣシグナリング）によってＣＧ構成を通知されてもよい。
【００４６】
ＵＥは、複数のＣＧ構成（タイプ１）を設定された場合、又は複数のＣＧ構成（タイプ２）を設定され、さらにその中の複数のＣＧ構成がアクティベートされた場合、前記複数のＣＧ構成の１つを選択し、選択されたＣＧ構成を用いてＰＵＳＣＨを送信してもよい。
【００４７】
なお、ＵＥは、与えられたＢＷＰ又はキャリアに対し、設定可能なＣＧ構成の数をあらかじめ端末能力情報として基地局に報告するものとしてもよい。ここで、タイプ１のＣＧ構成で設定可能なＣＧ構成の数とタイプ２で設定可能なＣＧ構成の数とを別々に報告してもよい。ＵＥは、ＢＷＰ又はキャリアに対して設定されるＣＧ構成の数は、あらかじめ規定された値、もしくは端末能力情報として基地局に報告した値を上回らないと想定してもよい。
【００４８】
また、タイプ２ＣＧ構成では、ＵＥは、与えられたＢＷＰ又はキャリアに対し、アクティベート可能なＣＧ構成の数をあらかじめ端末能力情報として基地局に報告するものとしてもよい。ＵＥは、ＢＷＰ又はキャリアに対してアクティベートされるＣＧ構成の数は、あらかじめ規定された値、もしくは端末能力情報として基地局に報告した値を上回らないと想定してもよい。
【００４９】
＜ユースケース＞
ＵＥは、複数のＣＧ構成を用いて、次のユースケース１、２を実現できる。
【００５０】
《ユースケース１》
異なるＣＧ構成が、異なるトラフィックタイプ（サービス）に対応してもよい。トラフィックタイプは、通信要件（遅延、誤り率などの要件）、データ種別（音声、データなど）、送信に用いるパラメータ（ＭＣＳ（Modulation  and  Coding  Scheme）テーブル、ＲＮＴＩなど）の少なくとも１つであってもよい。トラフィックタイプは、Ｖ２Ｘ、ＵＲＬＬＣ、ｅＭＭＢ、ｖｏｉｃｅ（音声通信）、などであってもよい。異なるトラフィックタイプ間は、上位レイヤ等で識別されるものとしてもよい。これによって、ＵＥは、異なるトラフィックタイプの送信に異なるＣＧリソースを用いることができる。複数のＣＧ構成の間で、信頼性、遅延などが異なる場合、ＵＥは、トラフィックタイプに適したＣＧ構成を用いることができる。
【００５１】
異なる論理チャネルが異なるＣＧ構成にマップされてもよい。複数のＣＧ構成の間で論理チャネルのマッピングルール（優先順位）が異なってもよい。論理チャネルには、例えば、個別トラフィックチャネル（ＤＴＣＨ：Dedicated  Traffic  Channel）、個別制御チャネル（ＤＣＣＨ：Dedicated  Control  Channel）、共通制御チャネル（ＣＣＣＨ：Common  Control  Channel）、ページング制御チャネル（ＰＣＣＨ：Paging  Control  Channel）、ブロードキャスト制御チャネル（ＢＣＣＨ：Broadcast  Control  Channel）の少なくとも一つが含まれてもよい。複数のＣＧ構成の間で、信頼性、遅延などが異なる場合、ＵＥは、論理チャネルに適したＣＧ構成を用いることができる。
【００５２】
ＵＥは、異なる複数のＣＧ構成を設定されることによって、異なるトラフィックタイプの要件を同時に満たすＣＧ送信を行ってもよい。
【００５３】
図１は、ユースケース１のためのＣＧ構成の一例を示す図である。ＵＥは、ＣＧ構成（設定グラント構成）＃０、＃１を設定される。ＣＧ構成＃０は、音声通信サービス用のタイプ２ＣＧ構成である。ＣＧ構成＃１は、低遅延パケットデータ用のタイプ１ＣＧ構成である。ＣＧ構成＃１の周期は、ＣＧ構成＃０の周期より短くてもよい。
【００５４】
ＵＥは、ＵＬデータが発生すると、ＵＬデータのトラフィックタイプに応じたＣＧ構成を用いてＰＵＳＣＨを送信してもよい。
【００５５】
このような複数の異なるＣＧ構成は、異なるトラフィックタイプに適応することができる。また、複数のＣＧ構成にわたって、ＭＩＭＯ（Multiple  Input  Multiple  Output）、ＭＣＳ、ＲＡ（Random  Access）などのパラメータを独立にすることができる。
【００５６】
《ユースケース２》
ＵＥは、送信開始タイミングが異なる複数のＣＧ構成を設定されることによって、遅延（latency）を削減してもよいし、繰り返し送信回数（repetition  K）を確保してもよい。
【００５７】
図２は、ユースケース２のためのＣＧ構成の一例を示す図である。ＵＥは、ＣＧ構成（設定グラント構成）＃０〜＃３を設定される。ＣＧ構成＃０〜＃３の送信タイミングは互いに異なる。
【００５８】
ＣＧ構成＃０〜＃３は、送信タイミング以外に共通の設定を有する。ＧＦ（Grant  Free）周期Ｐが４であるため、ＵＥは４つの送信時間ユニット（例えば、スロット、ミニスロット）毎にＰＵＳＣＨのリソースを割り当てられる。繰り返し因子Ｋは２であるため、ＵＥは２つの送信時間ユニット（Ｋ送信のウィンドウ）にわたって繰り返し送信を行う。
【００５９】
ＵＥは、タイプ１のＣＧ構成＃０〜＃３を上位レイヤシグナリングによって設定される、又は、タイプ２のＣＧ構成＃０〜＃３を上位レイヤシグナリングによって設定され、タイプ２のＣＧ構成＃０〜＃３をＤＣＩによってアクティベートされる。ＵＥは、タイプ１のＣＧ構成＃０〜＃３が設定された状態、又はタイプ２のＣＧ構成＃０〜＃３がアクティベートされた状態において、ＵＬデータの発生を待つ。
【００６０】
ＵＥは、ＵＬデータの発生タイミング又はＵＬデータ送信の準備完了タイミングに応じて、ＣＧ構成＃０〜＃３の中から、任意のＣＧ構成、例えばＵＬデータを最も早く送信できるＣＧ構成を選択し、選択されたＣＧ構成をＰＵＳＣＨ送信に用いてもよい。
【００６１】
例えば、Ｔ１からＴ２までの期間にＵＬデータ送信が発生した、又はＵＬデータ送信の準備が完了した場合、ＵＥは、ＣＧ構成＃３を用いてＵＬデータを送信してもよい。例えば、Ｔ３からＴ４までの期間にＵＬデータ送信が発生した、又はＵＬデータ送信の準備が完了した場合、ＵＥは、ＣＧ構成＃０を用いてＵＬデータを送信してもよい。
【００６２】
もしＵＥがＣＧ構成＃０のみを設定される場合、４つの送信時間ユニットに１つの送信時間ユニットしか送信機会が現れない。２回の繰り返しによって信頼性を向上できるものの、ＣＧ送信の周期を繰り返しの時間長よりも短くすることができないため、ＵＬデータの発生からの送信までのレイテンシは高くなる。一方、ＵＥがＣＧ構成＃０〜＃３を設定される場合、送信機会が増加することによって、ＵＬデータの発生タイミングに関わらず、低遅延の送信リソースを用いることできる。すなわち、ＣＧ構成＃０〜＃３によれば、繰り返しによって信頼性を高めつつ、ＣＧ送信の周期を繰り返しの時間長よりも短くすることと同等の遅延に抑えることができる。
【００６３】
＜ＤＬ  ＳＰＳ構成及びＵＬ設定グラント構成＞
ＵＥは、複数のＤＬ  ＳＰＳ構成を設定されてもよい。少なくとも１つの下りセミパーシステント構成を示す第１情報（例えば、SPS-Config）と、少なくとも１つの設定グラント構成を示す第２情報（ConfiguredGrantConfig）とを、上位レイヤシグナリングを介して受信してもよい。
【００６４】
ＵＥは、ユースケース１、２の少なくとも１つにおける複数のＵＬ設定グラント構成と同様にして、複数のＤＬ  ＳＰＳ構成を設定されてもよい。すなわち、ＵＥは、開始タイミングが互いに異なる複数のＳＬ  ＳＰＳ構成を設定されてもよい。
【００６５】
ＵＥは、複数のＤＬ  ＳＰＳ構成と、複数のＵＬ設定グラント構成と、の間の関連付けを設定されてもよい。
【００６６】
ＵＥは、セル及びbandwidth  part（ＢＷＰ）の少なくとも１つあたり、１以上のＤＬ  ＳＰＳ構成を設定されてもよいし、当該１以上のＤＬ  ＳＰＳ構成をアクティブ化（activate、trigger）されてもよい。更に、ＵＥは、セル及びＢＷＰの少なくとも１つあたり、１以上のＵＬ設定グラント構成を設定されてもよいし、当該１以上のＵＬ設定グラント構成をアクティブ化（activate、trigger）されてもよい。ＵＥは、ＤＬ  ＳＰＳに対するＨＡＲＱ−ＡＣＫ（ＨＡＲＱ−ＡＣＫ情報、ＨＡＲＱ−ＡＣＫビット）を、ＵＬ設定グラント  ＰＵＳＣＨにおいて送信（フィードバック）してもよい。
【００６７】
＜実施形態１＞
１つのＤＬ  ＳＰＳ構成を設定され且つ複数のＵＬ設定グラント構成を設定されたＵＥは、次の実施形態１−１、１−２の少なくとも１つに従って動作してもよい。
【００６８】
《実施形態１−１》
設定された少なくとも１つのサービングセルにわたってＰＵＳＣＨが無い場合、ＵＥは、ＤＬ  ＳＰＳ  ＰＤＳＣＨに対するＨＡＲＱ−ＡＣＫを１つのＰＵＣＣＨにおいて送信してもよい。ＤＬ  ＳＰＳ  ＰＤＳＣＨに対するＨＡＲＱ−ＡＣＫタイミングにおいて、設定された少なくとも１つのサービングセルにわたってＰＵＳＣＨが無い場合、ＵＥは、ＤＬ  ＳＰＳ  ＰＤＳＣＨに対するＨＡＲＱ−ＡＣＫを１つのＰＵＣＣＨにおいて送信してもよい。
【００６９】
ＵＬ動的グラントによってスケジュールされた１つのＰＵＳＣＨがある場合、ＵＥは、ＤＬ  ＳＰＳ  ＰＤＳＣＨに対するＨＡＲＱ−ＡＣＫを当該ＰＵＳＣＨにおいて送信してもよい。ＤＬ  ＳＰＳ  ＰＤＳＣＨに対するＨＡＲＱ−ＡＣＫタイミングにおいて、ＵＬ動的グラントによってスケジュールされた１つのＰＵＳＣＨがある場合、ＵＥは、ＤＬ  ＳＰＳ  ＰＤＳＣＨに対するＨＡＲＱ−ＡＣＫを当該ＰＵＳＣＨにおいて送信してもよい。
【００７０】
ＵＬ動的グラントによってスケジュールされたＰＵＳＣＨが無く、且つ１つのＵＬ設定グラント構成によって設定された１つのＰＵＳＣＨがある場合、ＵＥは、ＤＬ  ＳＰＳ  ＰＤＳＣＨに対するＨＡＲＱ−ＡＣＫを、当該ＵＬ設定グラント構成によって設定されたＰＵＳＣＨにおいて送信してもよい。ＤＬ  ＳＰＳ  ＰＤＳＣＨに対するＨＡＲＱ−ＡＣＫタイミングにおいて、ＵＬ動的グラントによってスケジュールされたＰＵＳＣＨが無く、且つ１つのＵＬ設定グラント構成によって設定された１つのＰＵＳＣＨがある場合、ＵＥは、ＤＬ  ＳＰＳ  ＰＤＳＣＨに対するＨＡＲＱ−ＡＣＫを、当該ＵＬ設定グラント構成によって設定されたＰＵＳＣＨにおいて送信してもよい。
【００７１】
ＵＬ動的グラントによってスケジュールされたＰＵＳＣＨが無く、且つ複数のＵＬ設定グラント構成によって設定された複数のＰＵＳＣＨがある場合、ＵＥは、次の実施形態１−１−１、１−１−２の少なくとも１つに従って、複数のＰＵＳＣＨから１つのＰＵＳＣＨを選択し、１つのＤＬ  ＳＰＳ  ＰＤＳＣＨに対するＨＡＲＱ−ＡＣＫを、当該ＰＵＳＣＨにおいて送信してもよい。ＤＬ  ＳＰＳ  ＰＤＳＣＨに対するＨＡＲＱ−ＡＣＫタイミングにおいて、ＵＬ動的グラントによってスケジュールされたＰＵＳＣＨが無く、且つ複数のＵＬ設定グラント構成によって設定された複数のＰＵＳＣＨがある場合、ＵＥは、次の実施形態１−１−１、１−１−２の少なくとも１つに従って、複数のＰＵＳＣＨから１つのＰＵＳＣＨを選択し、１つのＤＬ  ＳＰＳ  ＰＤＳＣＨに対するＨＡＲＱ−ＡＣＫを、当該ＰＵＳＣＨにおいて送信してもよい。
【００７２】
＜＜実施形態１−１−１＞＞
ＵＥは、（１）ＵＬ設定グラント構成（UL  configured  grant  configuration）インデックス、（２）サービングセルインデックス、（３）開始タイミング（starting  timing）、（４）時間長（duration）、の少なくとも１つを考慮して、複数のＵＬ設定グラント構成の１つ（複数のＵＬ設定グラント構成によって設定される複数のＰＵＳＣＨの１つ）を選択してもよい。
【００７３】
例えば、ＵＥは、より低い（又はより高い）ＵＬ設定グラント構成インデックスを有するＰＵＳＣＨを選択してもよい。例えば、ＵＥは、より低い（又はより高い）サービングセルインデックスを有するＰＵＳＣＨを選択してもよい。例えば、ＵＥは、より早い（又はより遅い）開始タイミングを有するＰＵＳＣＨを選択してもよい。例えば、ＵＥは、特定時間長よりも長い時間長を有するＰＵＳＣＨを選択してもよい。
【００７４】
＜＜実施形態１−１−２＞＞
複数のＵＬ設定グラント構成によって設定される複数のＰＵＳＣＨの中から、どのＰＵＳＣＨを選択するかは、ＵＥ（ＵＥ実装（implementation））次第であってもよい。
【００７５】
《実施形態１−２》
ＵＥは、１つのＤＬ  ＳＰＳ  ＰＤＳＣＨに対するＨＡＲＱ−ＡＣＫを、特定ＵＬ設定グラント構成によって設定されるＰＵＳＣＨにおいて、送信してもよい。ＵＥは、１つのＤＬ  ＳＰＳ  ＰＤＳＣＨに対するＨＡＲＱ−ＡＣＫと、特定ＵＬ設定グラント構成と、の関連付けを上位レイヤシグナリングによって設定されてもよい。
【００７６】
ＵＥは、ＤＬ  ＳＰＳ  ＰＤＳＣＨの終了と、当該ＤＬ  ＳＰＳ  ＰＤＳＣＨに関連付けられたＵＬ設定グラントに基づくＰＵＳＣＨの開始と、の間の時間差が、特定値より短いと期待しなくてもよい。例えば、特定値は、Ｎ２又はＮ２＋ｘ（ｘは正の整数）であってもよい。
【００７７】
Ｎ２は、ＵＬ送信指示（ＵＬグラント）を含む下り制御情報（ＤＣＩ）を受信してから、当該ＵＬグラントでスケジューリングされるＵＬデータ（ＰＵＳＣＨ）送信を最も早く開始できるまでの、ＵＥの処理に必要となるシンボル数であってもよい。Ｎ２は、ＰＵＳＣＨの送信の準備時間（preparation  time）に関する能力（ＰＵＳＣＨタイミング能力）の種別（例えば、１又は２）、サブキャリア間隔（ＳＣＳ）の少なくとも一つに基づいて定められてもよい。Ｎ２は、ＰＵＳＣＨの処理時間（準備時間）であってもよい。ｘは、ＰＵＳＣＨに割り当てられる最初のシンボルが当該ＰＵＳＣＨのＤＭＲＳだけで構成されるか否かに基づいて定められるシンボル数と、当該ＰＵＳＣＨにＨＡＲＱ−ＡＣＫが多重されるか否かに基づいて定められるシンボル数と、の少なくとも１つに基づいてもよい。
【００７８】
以上の実施形態１によれば、ＵＥは、１つのＤＬ  ＳＰＳ構成を設定され且つ複数のＵＬ設定グラント構成を設定された場合であっても、ＤＬ  ＳＰＳ  ＰＤＳＣＨに対するＨＡＲＱ−ＡＣＫを適切に送信できる。ＵＥが、ＵＬ設定グラントに基づくＰＵＳＣＨにおいて、ＤＬ  ＳＰＳ  ＰＤＳＣＨに対するＨＡＲＱ−ＡＣＫを送信する場合、ＰＤＳＣＨ及びＰＵＳＣＨの少なくとも１つをスケジュールするＰＤＣＣＨと、ＨＡＲＱ−ＡＣＫを伝えるＰＵＣＣＨと、を送信する必要がないため、オーバヘッドを抑えることができる。
【００７９】
＜実施形態２＞
複数のＤＬ  ＳＰＳ構成を設定され且つ１つのＵＬ設定グラント構成を設定されたＵＥは、次の実施形態２−１、２−２、２−３の少なくとも１つに従って動作してもよい。
【００８０】
《実施形態２−１》
設定された少なくとも１つのサービングセルにわたってＰＵＳＣＨが無い場合、ＵＥは、複数のＤＬ  ＳＰＳ  ＰＤＳＣＨの少なくとも１つのＤＬ  ＳＰＳ  ＰＤＳＣＨに対する少なくとも１つのＨＡＲＱ−ＡＣＫを、１つのＰＵＣＣＨにおいて送信してもよい。複数のＤＬ  ＳＰＳ  ＰＤＳＣＨの少なくとも１つのＤＬ  ＳＰＳ  ＰＤＳＣＨに対するＨＡＲＱ−ＡＣＫタイミングにおいて、設定された少なくとも１つのサービングセルにわたってＰＵＳＣＨが無い場合、ＵＥは、少なくとも１つのＤＬ  ＳＰＳ  ＰＤＳＣＨに対する少なくとも１つのＨＡＲＱ−ＡＣＫを、１つのＰＵＣＣＨにおいて送信してもよい。
【００８１】
ＵＬ動的グラントによってスケジュールされた１つのＰＵＳＣＨがある場合、ＵＥは、複数のＤＬ  ＳＰＳ  ＰＤＳＣＨの少なくとも１つのＤＬ  ＳＰＳ  ＰＤＳＣＨに対する少なくとも１つのＨＡＲＱ−ＡＣＫを当該ＰＵＳＣＨにおいて送信してもよい。複数のＤＬ  ＳＰＳ  ＰＤＳＣＨの少なくとも１つのＤＬ  ＳＰＳ  ＰＤＳＣＨに対するＨＡＲＱ−ＡＣＫタイミングにおいて、ＵＬ動的グラントによってスケジュールされた１つのＰＵＳＣＨがある場合、ＵＥは、少なくとも１つのＤＬ  ＳＰＳ  ＰＤＳＣＨに対する少なくとも１つのＨＡＲＱ−ＡＣＫを当該ＰＵＳＣＨにおいて送信してもよい。
【００８２】
ＵＬ動的グラントによってスケジュールされたＰＵＳＣＨが無く、且つ１つのＵＬ設定グラント構成によって設定された１つのＰＵＳＣＨがある場合、ＵＥは、複数のＤＬ  ＳＰＳ  ＰＤＳＣＨの少なくとも１つのＤＬ  ＳＰＳ  ＰＤＳＣＨに対する少なくとも１つのＨＡＲＱ−ＡＣＫを当該ＰＵＳＣＨにおいて送信してもよい。複数のＤＬ  ＳＰＳ  ＰＤＳＣＨの少なくとも１つに対するＨＡＲＱ−ＡＣＫタイミングにおいて、ＵＬ動的グラントによってスケジュールされたＰＵＳＣＨが無く、且つ１つのＵＬ設定グラント構成によって設定された１つのＰＵＳＣＨがある場合、ＵＥは、少なくとも１つのＤＬ  ＳＰＳ  ＰＤＳＣＨに対する少なくとも１つのＨＡＲＱ−ＡＣＫを当該ＰＵＳＣＨにおいて送信してもよい。
【００８３】
ＵＥは、複数のＤＬ  ＳＰＳ  ＰＤＳＣＨの中の１つのＤＬ  ＳＰＳ  ＰＤＳＣＨに対するＨＡＲＱ−ＡＣＫを、１つのＰＵＣＣＨ又は１つのＰＵＳＣＨにおいて送信する場合、ＵＥは、次の実施形態２−１−１、２−１−２の少なくとも１つに従って、複数のＤＬ  ＳＰＳ  ＰＤＳＣＨ（複数のＤＬ  ＳＰＳ構成）から１つのＤＬ  ＳＰＳ  ＰＤＳＣＨを選択し、選択されたＤＬ  ＳＰＳ  ＰＤＳＣＨに対するＨＡＲＱ−ＡＣＫを、当該ＰＵＳＣＨにおいて送信してもよい。
【００８４】
＜＜実施形態２−１−１＞＞
ＵＥは、（１）ＤＬ  ＳＰＳ構成（DL  SPS  configuration）インデックス、（２）サービングセルインデックス、（３）開始タイミング、（４）時間長、の少なくとも１つを考慮して、複数のＤＬ  ＳＰＳ  ＰＤＳＣＨの１つ（複数のＤＬ  ＳＰＳ  ＰＤＳＣＨに対する複数のＨＡＲＱ−ＡＣＫの１つ）を選択し、選択されたＤＬ  ＳＰＳ  ＰＤＳＣＨのＨＡＲＱ−ＡＣＫを、ＵＬ設定グラント構成によって設定されたＰＵＳＣＨにおいて送信してもよい。
【００８５】
例えば、ＵＥは、より低い（又はより高い）ＤＬ  ＳＰＳ構成インデックスを有するＰＤＳＣＨを選択してもよい。例えば、ＵＥは、より低い（又はより高い）サービングセルインデックスを有するＰＤＳＣＨを選択してもよい。例えば、ＵＥは、より早い（又はより遅い）開始タイミング又はより遅い開始タイミングを有するＰＤＳＣＨを選択してもよい。例えば、ＵＥは、特定時間長よりも長い時間長を有するＰＤＳＣＨを選択してもよい。
【００８６】
＜＜実施形態２−１−２＞＞
複数のＤＬ  ＳＰＳ  ＰＤＳＣＨの中から、どのＰＤＳＣＨを選択するかは、ＵＥ（ＵＥ実装（implementation））次第であってもよい。
【００８７】
《実施形態２−２》
ＵＥは、特定ＤＬ  ＳＰＳ  ＰＤＳＣＨに対するＨＡＲＱ−ＡＣＫを、１つのＵＬ設定グラント構成によって設定されるＰＵＳＣＨにおいて送信してもよい。ＵＥは、特定ＤＬ  ＳＰＳ  ＰＤＳＣＨに対するＨＡＲＱ−ＡＣＫと、１つのＵＬ設定グラント構成と、の関連付けを上位レイヤシグナリングによって設定されてもよい。
【００８８】
ＵＥは、ＤＬ  ＳＰＳ  ＰＤＳＣＨの終了と、当該ＤＬ  ＳＰＳ  ＰＤＳＣＨに関連付けられたＵＬ設定グラントに基づくＰＵＳＣＨの開始と、の間の時間差が、特定値より短いと期待しなくてもよい。例えば、特定値は、Ｎ２又はＮ２＋ｘ（ｘは正の整数）であってもよい。
【００８９】
《実施形態２−３》
ＵＥは、複数のＤＬ  ＳＰＳ  ＰＤＳＣＨに対する複数のＨＡＲＱ−ＡＣＫビットを、１つのＰＵＣＣＨ又は１つのＰＵＳＣＨにおいて送信する場合、ＨＡＲＱ−ＡＣＫコードブックにおいて、複数のＤＬ  ＳＰＳ  ＰＤＳＣＨに対する複数のＨＡＲＱ−ＡＣＫビットを順序付けしてもよい。ＵＥは、次の実施形態２−３−１、２−３−２、２−３−３の少なくとも１つの順序に従って、複数のＨＡＲＱ−ＡＣＫを順序付けしてもよい。
【００９０】
＜＜実施形態２−３−１＞＞
ＵＥは、複数のＤＬ  ＳＰＳ  ＰＤＳＣＨに対する複数のＨＡＲＱ−ＡＣＫビットを、より低いＤＬ  ＳＰＳ設定インデックスからより高いＤＬ  ＳＰＳ設定インデックスへ並べてもよい。
【００９１】
＜＜実施形態２−３−２＞＞
ＵＥは、複数のＤＬ  ＳＰＳ  ＰＤＳＣＨに対する複数のＨＡＲＱ−ＡＣＫビットを、より低いサービングセルインデックスからより高いサービングセルインデックスへ並べてもよい。
【００９２】
＜＜実施形態２−３−３＞＞
ＵＥは、複数のＤＬ  ＳＰＳ  ＰＤＳＣＨに対する複数のＨＡＲＱ−ＡＣＫビットを、より低いＳＣＳからより高いＳＣＳへ、又はより高いＳＣＳからより低いＳＣＳへの並べてもよい。
【００９３】
以上の実施形態２によれば、ＵＥは、複数のＤＬ  ＳＰＳ構成を設定され且つ１つのＵＬ設定グラント構成を設定された場合であっても、複数のＤＬ  ＳＰＳ  ＰＤＳＣＨの少なくとも１つに対するＨＡＲＱ−ＡＣＫを適切に送信できる。ＵＥが、ＵＬ設定グラントに基づくＰＵＳＣＨにおいて、ＤＬ  ＳＰＳ  ＰＤＳＣＨに対するＨＡＲＱ−ＡＣＫを送信する場合、ＰＤＳＣＨ及びＰＵＳＣＨの少なくとも１つをスケジュールするＰＤＣＣＨと、ＨＡＲＱ−ＡＣＫを伝えるＰＵＣＣＨと、を送信する必要がないため、オーバヘッドを抑えることができる。
【００９４】
＜実施形態３＞
複数のＤＬ  ＳＰＳ構成を設定され且つ複数のＵＬ設定グラント構成を設定されたＵＥは、次の実施形態３−１、３−２、３−３の少なくとも１つに従って動作してもよい。
【００９５】
《実施形態３−１》
設定された少なくとも１つのサービングセルにわたってＰＵＳＣＨが無い場合、ＵＥは、複数のＤＬ  ＳＰＳ  ＰＤＳＣＨの少なくとも１つのＤＬ  ＳＰＳ  ＰＤＳＣＨに対する少なくとも１つのＨＡＲＱ−ＡＣＫを、１つのＰＵＣＣＨにおいて送信してもよい。複数のＤＬ  ＳＰＳ  ＰＤＳＣＨの少なくとも１つのＤＬ  ＳＰＳ  ＰＤＳＣＨに対するＨＡＲＱ−ＡＣＫタイミングにおいて、設定された少なくとも１つのサービングセルにわたってＰＵＳＣＨが無い場合、ＵＥは、少なくとも１つのＤＬ  ＳＰＳ  ＰＤＳＣＨに対する少なくとも１つのＨＡＲＱ−ＡＣＫを、１つのＰＵＣＣＨにおいて送信してもよい。
【００９６】
ＵＬ動的グラントによってスケジュールされた１つのＰＵＳＣＨがある場合、ＵＥは、複数のＤＬ  ＳＰＳ  ＰＤＳＣＨの少なくとも１つのＤＬ  ＳＰＳ  ＰＤＳＣＨに対する少なくとも１つのＨＡＲＱ−ＡＣＫを当該ＰＵＳＣＨにおいて送信してもよい。複数のＤＬ  ＳＰＳ  ＰＤＳＣＨの少なくとも１つのＤＬ  ＳＰＳ  ＰＤＳＣＨに対するＨＡＲＱ−ＡＣＫタイミングにおいて、ＵＬ動的グラントによってスケジュールされた１つのＰＵＳＣＨがある場合、ＵＥは、少なくとも１つのＤＬ  ＳＰＳ  ＰＤＳＣＨに対する少なくとも１つのＨＡＲＱ−ＡＣＫを当該ＰＵＳＣＨにおいて送信してもよい。
【００９７】
ＵＬ動的グラントによってスケジュールされたＰＵＳＣＨが無く、且つ複数のＵＬ設定グラント構成の少なくとも１つのＵＬ設定グラント構成によって設定された少なくとも１つのＰＵＳＣＨがある場合、ＵＥは、複数のＤＬ  ＳＰＳ  ＰＤＳＣＨの少なくとも１つのＤＬ  ＳＰＳ  ＰＤＳＣＨに対する少なくとも１つのＨＡＲＱ−ＡＣＫを、当該少なくとも１つのＰＵＳＣＨにおいてそれぞれ送信してもよい。複数のＤＬ  ＳＰＳ  ＰＤＳＣＨの少なくとも１つのＤＬ  ＳＰＳ  ＰＤＳＣＨに対するＨＡＲＱ−ＡＣＫタイミングにおいて、ＵＬ動的グラントによってスケジュールされたＰＵＳＣＨが無く、且つ複数のＵＬ設定グラント構成の少なくとも１つのＵＬ設定グラント構成によって設定された少なくとも１つのＰＵＳＣＨがある場合、ＵＥは、少なくとも１つのＤＬ  ＳＰＳ  ＰＤＳＣＨに対する少なくとも１つのＨＡＲＱ−ＡＣＫを、当該少なくとも１つのＰＵＳＣＨにおいて送信してもよい。
【００９８】
ＵＥは、１つのＤＬ  ＳＰＳ  ＰＤＳＣＨに対するＨＡＲＱ−ＡＣＫを、１つの１つのＵＬ設定グラント構成によって設定される１つのＰＵＳＣＨにおいて送信する場合、ＵＥは、前述の実施形態１−１−１、１−１−２の少なくとも１つに従って、複数のＵＬ設定グラント構成から１つのＵＬ設定グラント構成を選択し、１つのＤＬ  ＳＰＳ  ＰＤＳＣＨに対するＨＡＲＱ−ＡＣＫを、選択された１つのＵＬ設定グラント構成に対するＰＵＳＣＨにおいて送信してもよい。
【００９９】
ＵＥは、１つのＤＬ  ＳＰＳ  ＰＤＳＣＨに対するＨＡＲＱ−ＡＣＫを、１つのＰＵＣＣＨ又は１つのＰＵＳＣＨにおいて送信する場合、ＵＥは、前述の実施形態２−１−１、２−１−２の少なくとも１つに従って、複数のＤＬ  ＳＰＳ  ＰＤＳＣＨ（複数のＤＬ  ＳＰＳ構成）から１つのＤＬ  ＳＰＳ  ＰＤＳＣＨを選択し、選択されたＤＬ  ＳＰＳ  ＰＤＳＣＨに対するＨＡＲＱ−ＡＣＫを、当該ＰＵＳＣＨにおいて送信してもよい。
【０１００】
《実施形態３−２》
ＵＥは、複数のＤＬ  ＳＰＳ  ＰＤＳＣＨに対する複数のＨＡＲＱ−ＡＣＫのそれぞれを、対応するＵＬ設定グラント構成によって設定されるＰＵＳＣＨにおいて送信してもよい。ＵＥは、複数のＤＬ  ＳＰＳ  ＰＤＳＣＨと、複数のＵＬ設定グラント構成と、の関連付けを上位レイヤシグナリングによって設定されてもよい。
【０１０１】
ＵＥは、ＤＬ  ＳＰＳ  ＰＤＳＣＨの終了と、当該ＤＬ  ＳＰＳ  ＰＤＳＣＨに関連付けられたＵＬ設定グラントに基づくＰＵＳＣＨの開始と、の間の時間差が、特定値より短いと期待しなくてもよい。例えば、特定値は、Ｎ２又はＮ２＋ｘ（ｘは正の整数）であってもよい。
【０１０２】
複数のＵＬ設定グラント構成に基づくＰＵＳＣＨの開始タイミングの順序が、複数のＤＬ  ＳＰＳ構成に基づくＰＤＳＣＨの開始タイミングの順序に対応していてもよい。複数のＵＬ設定グラント構成の数が、複数のＤＬ  ＳＰＳ構成の数と等しくてもよい。
【０１０３】
《実施形態３−３》
ＵＥは、複数のＤＬ  ＳＰＳ  ＰＤＳＣＨに対する複数のＨＡＲＱ−ＡＣＫビットを、１つのＰＵＣＣＨ又は１つのＰＵＳＣＨにおいて送信する場合、ＨＡＲＱ−ＡＣＫコードブックにおいて、複数のＤＬ  ＳＰＳ  ＰＤＳＣＨに対する複数のＨＡＲＱ−ＡＣＫビットを順序付けしてもよい。ＵＥは、前述の実施形態２−３−１、２−３−２、２−３−３の少なくとも１つの順序に従って、複数のＨＡＲＱ−ＡＣＫを順序付けしてもよい。
【０１０４】
以上の実施形態３によれば、ＵＥは、複数のＤＬ  ＳＰＳ構成を設定され且つ複数のＵＬ設定グラント構成を設定された場合であっても、ＤＬ  ＳＰＳ  ＰＤＳＣＨに対するＨＡＲＱ−ＡＣＫを適切に送信できる。ＵＥが、ＵＬ設定グラントに基づくＰＵＳＣＨにおいて、ＤＬ  ＳＰＳ  ＰＤＳＣＨに対するＨＡＲＱ−ＡＣＫを送信する場合、ＰＤＳＣＨ及びＰＵＳＣＨの少なくとも１つをスケジュールするＰＤＣＣＨと、ＨＡＲＱ−ＡＣＫを伝えるＰＵＣＣＨと、を送信する必要がないため、オーバヘッドを抑えることができる。
【０１０５】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１０６】
図３は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１０７】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１０８】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１０９】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１１０】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１１１】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１１２】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１１３】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１１４】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１１５】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１１６】
ユーザ端末２０は、ＬＴＥ、ＬＴＥ−Ａ、５Ｇなどの通信方式の少なくとも１つに対応した端末であってもよい。
【０１１７】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１１８】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１１９】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１２０】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１２１】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１２２】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１２３】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１２４】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１２５】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１２６】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１２７】
なお、本開示において下りリンク、上りリンクなどは「リンク」を付けずに表現されてもよい。また、各種チャネルの先頭に「物理（Physical）」を付けずに表現されてもよい。
【０１２８】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１２９】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１３０】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１３１】
（基地局）
図４は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１３２】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１３３】
制御部１１０は、基地局１０全体の制御を実施する。制御部１１０は、本開示に係る技術分野での共通認識に基づいて説明されるコントローラ、制御回路などから構成することができる。
【０１３４】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１３５】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１３６】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１３７】
送受信アンテナ１３０は、本開示に係る技術分野での共通認識に基づいて説明されるアンテナ、例えばアレイアンテナなどから構成することができる。
【０１３８】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１３９】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１４０】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１４１】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１４２】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１４３】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１４４】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１４５】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１４６】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１４７】
なお、本開示における基地局１０の送信部及び受信部は、送受信部１２０、送受信アンテナ１３０及び伝送路インターフェース１４０の少なくとも１つによって構成されてもよい。
【０１４８】
（ユーザ端末）
図５は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１４９】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１５０】
制御部２１０は、ユーザ端末２０全体の制御を実施する。制御部２１０は、本開示に係る技術分野での共通認識に基づいて説明されるコントローラ、制御回路などから構成することができる。
【０１５１】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１５２】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１５３】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１５４】
送受信アンテナ２３０は、本開示に係る技術分野での共通認識に基づいて説明されるアンテナ、例えばアレイアンテナなどから構成することができる。
【０１５５】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１５６】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５７】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５８】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１５９】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１６０】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１６１】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１６２】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１６３】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１６４】
なお、本開示におけるユーザ端末２０の送信部及び受信部は、送受信部２２０、送受信アンテナ２３０及び伝送路インターフェース２４０の少なくとも１つによって構成されてもよい。
【０１６５】
また、送受信部２２０は、少なくとも１つの下りセミパーシステント（ＤＬ  ＳＰＳ）構成を示す第１情報と、少なくとも１つの設定グラント（ＵＬ設定グラント）構成を示す第２情報とを、上位レイヤシグナリングを介して受信してもよい。制御部２１０は、前記少なくとも１つのセミパーシステント構成に基づく少なくとも１つの下り共有チャネルに対するHybrid  Automatic  Repeat  reQuest  ACKnowledgement（ＨＡＲＱ−ＡＣＫ）を、前記少なくとも１つの設定グラント構成に基づく少なくとも１つの設定グラント上り共有チャネル（設定グラントＰＵＳＣＨ）において送信してもよい。
【０１６６】
設定された少なくとも１つのサービングセルにわたって上り共有チャネル（ＰＵＳＣＨ）がない場合、前記制御部２１０は、前記ＨＡＲＱ−ＡＣＫを上り制御チャネル（ＰＵＣＣＨ）において送信してもよい（実施形態１−１）。
【０１６７】
動的グラントによってスケジュールされた動的グラント上り共有チャネル（動的グラントＰＵＳＣＨ）がある場合、前記制御部２１０は、前記ＨＡＲＱ−ＡＣＫを前記動的グラント上り共有チャネルにおいて送信してもよい（実施形態１−１）。
【０１６８】
動的グラントによってスケジュールされた動的グラント上り共有チャネルがなく、且つ前記少なくとも１つの設定グラント上り共有チャネルがある場合、前記制御部２１０は、前記ＨＡＲＱ−ＡＣＫを前記少なくとも１つの設定グラント上り共有チャネルにおいて送信してもよい（実施形態１−１）。
【０１６９】
動的グラントによってスケジュールされた動的グラント上り共有チャネルがなく、且つ複数の設定グラント上り共有チャネルがある場合、前記制御部２１０は、前記複数の設定グラント上り共有チャネルのそれぞれに対応する設定グラント構成のインデックス（ＵＬ設定グラント構成インデックス）と、前記複数の設定グラント上り共有チャネルのそれぞれのサービングセルインデックスと、前記複数の設定グラント上り共有チャネルのそれぞれの開始タイミングと、前記複数の設定グラント上り共有チャネルのそれぞれの時間長と、の少なくとも１つに基づく、１つの設定グラント上り共有チャネルにおいて、前記ＨＡＲＱ−ＡＣＫを送信してもよい（実施形態１−１−１）。
【０１７０】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１７１】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１７２】
例えば、本開示の一実施形態における基地局、ユーザ端末などは、本開示の無線通信方法の処理を行うコンピュータとして機能してもよい。図６は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７３】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１７４】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７５】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１７７】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１７８】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７９】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８０】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１８１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１８２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８３】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８４】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１８５】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８６】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８７】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１８８】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１９０】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９１】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９２】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１９３】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９４】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９５】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９６】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１９７】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１９８】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１９９】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０２００】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２０１】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２０２】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２０３】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２０４】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０５】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２０６】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０７】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２０８】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０９】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２１０】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２１１】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１２】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１４】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１５】
本開示において使用する「システム」及び「ネットワーク」という用語は、互換的に使用され得る。「ネットワーク」は、ネットワークに含まれる装置（例えば、基地局）のことを意味してもよい。
【０２１６】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２１７】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２１８】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１９】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２２０】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２１】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２２２】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２３】
同様に、本開示におけるユーザ端末は、基地局で読み替えてもよい。この場合、上述のユーザ端末２０が有する機能を基地局１０が有する構成としてもよい。
【０２２４】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２２５】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２６】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２８】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２９】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２３０】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２３１】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３２】
また、「判断（決定）」は、「想定する（assuming）」、「期待する（expecting）」、「みなす（considering）」などで読み替えられてもよい。
【０２３３】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２３４】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３５】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３６】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３７】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３８】
本開示において、例えば、英語でのa,  an及びtheのように、翻訳によって冠詞が追加された場合、本開示は、これらの冠詞の後に続く名詞が複数形であることを含んでもよい。
【０２３９】
（付記）
以下、本開示の補足事項について付記する。
【０２４０】
＜背景＞
ＵＬ設定グラント（UL  configured  grant）が設定されず、ＤＬ  ＳＰＳ（DL  SPS）が設定されたＵＥに対して以下の動作が想定される：
・ＤＬ  ＳＰＳ  ＰＤＳＣＨに対するＨＡＲＱ−ＡＣＫはＵＬグラントによりスケジュールされたＰＵＣＣＨ又はＰＵＳＣＨで送信される。
・かかる動作はＲｅｌ．１５の仕様で既にサポートされる。
【０２４１】
ＤＬ  ＳＰＳ（DL  SPS）が設定されず、ＵＬ設定グラント（UL  configured  grant）が設定されたＵＥに対して以下の動作が想定される：
・ＰＤＳＣＨに対するＨＡＲＱ−ＡＣＫは、ＵＬグラントによりスケジュールされるＰＵＣＣＨ又はＰＵＳＣＨ、あるいは、ＵＬ設定グラントによりトリガされるＰＵＳＣＨで送信される。
・かかる動作はＲｅｌ．１５の仕様で既にサポートされる。
【０２４２】
ＤＬ  ＳＰＳ（DL  SPS）、及びＵＬ設定グラント（UL  configured  grant）が設定されたＵＥに対して以下の動作が想定される：
・ＤＬ  ＳＰＳ  ＰＤＳＣＨに対するＨＡＲＱ−ＡＣＫは、サービングセルをわたってＰＵＳＣＨがない場合にはＰＵＣＣＨで送信される。
・ＰＵＳＣＨがある場合には、ＨＡＲＱ−ＡＣＫはＰＵＳＣＨで送信される。ＰＵＳＣＨは所定ルールに従って選択される。
・適切な設定により、ＨＡＲＱ−ＡＣＫは、常にＵＬ設定グラントのＰＵＳＣＨにマッピングされるように制御できる。
・ＵＥは、ＵＬ設定グラントを利用して送信を行うＵＬデータを具備する場合、ＨＡＲＱ−ＡＣＫはＵＬ設定グラントによりトリガされるＰＵＳＣＨで送信される。
・ＵＥは、ＵＬ設定グラントを利用して送信するＵＬデータを具備しない場合、ＨＡＲＱ−ＡＣＫはＰＵＣＣＨで送信される。
・かかる動作はＲｅｌ．１５における設定によりサポートされる。
【０２４３】
＜提案１＞
ＤＬ  ＳＰＳ（a  DL  SPS）、及び複数のＵＬ設定グラント構成（multiple  UL  configured  grant  configurations）が設定されたＵＥに対して以下の動作が想定される：
［１−１］：サービングセルにわたってＰＵＳＣＨがない場合、ＤＬ  ＳＰＳ  ＰＤＳＣＨに対するＨＡＲＱ−ＡＣＫはＰＵＣＣＨで送信される。
・ＵＬグラントでスケジュールされるＰＵＳＣＨがある場合、ＨＡＲＱ−ＡＣＫは当該ＰＵＳＣＨで送信される。
・ＵＬグラントでスケジュールされるＰＵＳＣＨがなく、ＵＬ設定グラントでトリガされるＰＵＳＣＨがある場合、ＨＡＲＱ−ＡＣＫはＰＵＳＣＨで送信される。
・ＵＬグラントでスケジュールされるＰＵＳＣＨがなく、ＵＬ設定グラントでトリガされる１より多いＰＵＳＣＨがある場合、以下の１−１−１、及び１−１−２の少なくともいずれかを適用する。
【０２４４】
［１−１−１］：ＵＥは、ＵＬ設定グラントでトリガされた１つのＰＵＳＣＨを選択する。選択は、（１）ＵＬ設定グラント構成インデックス（UL  configured  grant  configuration  index）、（２）サービングセルインデックス（serving  cell  index）、（３）開始タイミング（starting  timing）、（４）期間（duration）の少なくとも一つに基づいて決定されてもよい。
例）インデックスが相対的に小さい（又は大きい）ＵＬ設定グラント構成に対応するＰＵＳＣＨを選択する
例）インデックスが相対的に小さい（又は大きい）サービングセルに対応するＰＵＳＣＨを選択する
例）開始タイミングが相対的に早い（又は遅い）ＰＵＳＣＨを選択する
例）所定長さの期間を有するＰＵＳＣＨを選択する
【０２４５】
［１−１−２］：どのＰＵＳＣＨを選択するかＵＥ側で決定する。
【０２４６】
［１−２］：ＤＬ  ＳＰＳ  ＰＤＳＣＨに対するＨＡＲＱ−ＡＣＫは、ＵＬ設定グラントでトリガされるＰＵＳＣＨで送信される。ＤＬ  ＳＰＳ  ＰＤＳＣＨに対するＨＡＲＱ−ＡＣＫを調整するＵＬ設定グラントとＤＬ  ＳＰＳの関連は上位レイヤで設定されてもよい。
［１−２−１］：ＵＥは、ＤＬ  ＳＰＳ  ＰＤＳＣＨの末尾（end  of  the  DL  SPS  PDSCH）と、ＤＬ  ＳＰＳに関連付けられたＵＬ設定グラントでトリガされるＰＵＳＣＨの開始との時間差（time  difference）が、所定値より短いと想定しなくてもよい。所定値は、Ｎ２、又はＮ２＋ｘ（ｘ：自然数）であってもよい。
【０２４７】
＜提案２＞
複数のＤＬ  ＳＰＳ（multiple  DL  SPSs）、及びＵＬ設定グラント構成（a  UL  configured  grant  configuration）が設定されたＵＥに対して以下の動作が想定される：
［２−１］：サービングセルにわたってＰＵＳＣＨがない場合、ＤＬ  ＳＰＳ  ＰＤＳＣＨに対するＨＡＲＱ−ＡＣＫはＰＵＣＣＨで送信される（１−１と同様）。
・ＵＬグラントでスケジュールされるＰＵＳＣＨがある場合、ＨＡＲＱ−ＡＣＫは当該ＰＵＳＣＨで送信される。
・ＵＬグラントでスケジュールされるＰＵＳＣＨがなく、ＵＬ設定グラントでトリガされるＰＵＳＣＨがある場合、ＨＡＲＱ−ＡＣＫはＰＵＳＣＨで送信される。
・ＵＬグラントでスケジュールされるＰＵＳＣＨがなく、ＵＬ設定グラントでトリガされる１より多いＰＵＳＣＨがある場合、以下の２−１−１、及び２−１−２の少なくともいずれかを適用する。
【０２４８】
［２−１−１］：ＵＥは、ＵＬ設定グラントでトリガされた１つのＰＵＳＣＨを選択する。選択は、（１）ＵＬ設定グラント構成インデックス（UL  configured  grant  configuration  index）、（２）サービングセルインデックス（serving  cell  index）、（３）開始タイミング（starting  timing）、（４）期間（duration）の少なくとも一つに基づいて決定されてもよい。
例）インデックスが相対的に小さいＵＬ設定グラント構成に対応するＰＵＳＣＨを選択する
例）インデックスが相対的に小さいサービングセルに対応するＰＵＳＣＨを選択する
例）開始タイミングが相対的に早い（又は遅い）ＰＵＳＣＨを選択する
例）所定長さの期間を有するＰＵＳＣＨを選択する
【０２４９】
［２−１−２］：どのＰＵＳＣＨを選択するかＵＥ側で決定する。
【０２５０】
［２−２］：ＤＬ  ＳＰＳ  ＰＤＳＣＨに対するＨＡＲＱ−ＡＣＫは、ＵＬ設定グラントでトリガされるＰＵＳＣＨで送信される（１−２と同様）。ＤＬ  ＳＰＳ  ＰＤＳＣＨに対するＨＡＲＱ−ＡＣＫを調整するＵＬ設定グラントとＤＬ  ＳＰＳの関連は上位レイヤで設定されてもよい。
［２−２−１］：ＵＥは、ＤＬ  ＳＰＳ  ＰＤＳＣＨの末尾（end  of  the  DL  SPS  PDSCH）と、ＤＬ  ＳＰＳに関連付けられたＵＬ設定グラントでトリガされるＰＵＳＣＨの開始との時間差（time  difference）が、所定値より短いと想定しなくてもよい。所定値は、Ｎ２、又はＮ２＋ｘ（ｘ：自然数）であってもよい。
【０２５１】
［２−３］：１より多きＤＬ  ＳＰＳ  ＰＤＳＣＨに対するＨＡＲＱ−ＡＣＫビットがＰＵＣＣＨ又はＰＵＳＣＨで送信される場合、以下の動作を適用してもよい。
複数のＤＬ  ＳＰＳ  ＰＤＳＣＨに対するＨＡＲＱ−ＡＣＫビットは、ＨＡＲＱ−ＡＣＫコードブックにおいて以下の２−３−１〜２−３−３の少なくとも一つ順序で配置（又は、マッピング）されてもよい。
［２−３−１］：インデックスが低いＤＬ  ＳＰＳ構成（DL  SPS  configuration）に対応するＨＡＲＱ−ＡＣＫからインデックスが高いＤＬ  ＳＰＳ構成に対応するＨＡＲＱ−ＡＣＫ
［２−３−２］：インデックスが低いＤＬサービングセル（DL  serving  cell）に対応するＨＡＲＱ−ＡＣＫからインデックスが高いＤＬサービングセルに対応するＨＡＲＱ−ＡＣＫ
［２−３−３］：低いサブキャリ間隔（例えば、ＰＤＳＣＨのＳＣＳ）に対応するＨＡＲＱ−ＡＣＫから高いサブキャリア間隔に対応するＨＡＲＱ−ＡＣＫ、あるいは、高いサブキャリ間隔に対応するＨＡＲＱ−ＡＣＫから低いサブキャリア間隔に対応するＨＡＲＱ−ＡＣＫ
【０２５２】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【０２５３】
本出願は、２０１９年２月２５日出願の特願２０１９−０４６４８２に基づく。この内容は、全てここに含めておく。
【図１】
2020175385.tif 000003
【図２】
2020175385.tif 000004
【図３】
2020175385.tif 000005
【図４】
2020175385.tif 000006
【図５】
2020175385.tif 000007
【図６】
2020175385.tif 000008
【国際調査報告】
2020175385.tif 000009
2020175385.tif 000010
2020175385.tif 000011
2020175385.tif 000012